(57)【要約】      （修正有）【課題】接続端子の向きを確認することなく接続することができ，また，摩耗および破損する可能性が減る接続端子を提供する。【解決手段】接続端子のジャックとプラグを分割し，ジャックとプラグの双方にマグネット４、１１を使用することにより，ジャックは外部接続端子を持つ機器等に挿したままの状態で使用し，充電・通信を行うときはプラグを近づけるだけで，自動的に位置を調整して正確で安易に脱着が行える。【選択図】図２
0003204127.tif 000002
【実用新案登録請求の範囲】
【請求項１】
充電・通信するための外部接続端子を有するパソコン，スマートフォン，携帯電話，ゲーム機および家電等の接続を安易にできるようにジャックとプラグを分割し，それぞれにマグネットを使用することを特徴とする接続端子。
【請求項２】
ジャックとプラグ双方の内部にマグネットを配置し，互いの接続面にＮ極とＳ極を一つ以上かつ，同数有しており，ジャックとプラグのＳ極とＮ極が互いに磁石の引力の原理により自動的に位置を調整して正確に接続し通電する請求項１に記載の接続端子
【請求項３】
ジャック内部にあるマグネットの接触面Ｎ極と，プラグ内部にあるマグネットの接触面Ｓ極の互いに引き合う接触面の形状および面積は同一であり，そのため，自動的にジャックとプラグの位置が調整され正確に接続できる請求項１に記載の接続端子。
【請求項４】
ジャックは導電接触点，絶縁体とマグネット，保護ケースで構成され，ジャックの後方には絶縁座があり，スクリーン端子と導電端子がある。導電接触点は絶縁体の中にあり，マグネットは絶縁体前部にあり，それは導電接触点を囲っている。マグネットの保護ケースは外側を固定しており，導電端子は導電接触点と連結して，絶縁座上に固定される。スクリーン端子は導電端子を保護している請求項３に記載の接続端子。
【請求項５】
プラグはプラグ端子，絶縁体とケースで構成される。マグネットはケースの前端に固定され，プラグ端子の前部はマグネットの通り口に設定してある。後部は絶縁体に固定しコンセントと繋がれる。絶縁体前部はマグネット先端部に入り，後部はケースに固定される請求項４に記載の接続端子。
【請求項６】
ジャックの導電接触点とプラグのプラグ端子が接触することで通電する請求項５に記載の接続端子。
【請求項７】
プラグ端子に弾性端子を使用した構造の請求項６に記載の接続端子。
【考案の詳細な説明】
【技術分野】
【０００１】  本考案は，充電・通信するための外部接続端子を有するパソコン，スマートフォン，携帯電話，ゲーム機および家電等の接続端子に関する。
【背景技術】
【０００２】  従来の接続端子は図５のようにジャックとプラグが一体となっている。
【考案の概要】
【考案が解決しようとする課題】
【０００３】  使用する接続端子の種類によっては充電・通信をする度に接続端子の向きを確認する必要がある。例えば，夜間の車内等，暗い場所では，接続口の確認が困難な場合もある。また，何度も本体側外部接続端子と接続端子を抜き差しすることにより，摩耗および破損に繋がる可能性が高くなる。
【課題を解決するための手段】
【０００４】  以上の課題を解決するために，本考案は，ジャックとプラグを分割したことを特徴とする接続端子である。
また，ジャックとプラグにマグネットを使用することにより，自動的に位置を調整して正確で容易に脱着が行えることを特徴とする接続端子である。
【考案の効果】
【０００５】  本考案によれば，ジャックのみを常に外部接続端子に挿した状態であるため，接続端子の向きを確認することなく接続することができる。また，抜き差しする必要が無いので摩耗および破損する可能性が減る。
【図面の簡単な説明】
【図１】この発明の一実施形態を示す斜視図である。
【図２】ジャックとプラグの斜視図である。
【図３】ジャックの分解構造の斜視図である。
【図４】プラグの分解構造の斜視図である。
【図５】従来技術を示す平面図である。
【考案を実施するための形態】
【０００６】  この発明の一実施形態を，図１に示す。
図１のジャック（１）とプラグ（２）が接触することで通電する。ジャック（１）はスマートフォン（３）の外部接続端子に挿した状態である。
自動的に接続できる仕組みは，図２のジャック側のマグネット（１０）とプラグ側のマグネット（２０）のＳ極とＮ極が引き合うことにより接続する。
【０００７】  図３と図４はジャックとプラグの分解構造を示した斜視図である。
図３のジャック（１）は導電接触点（１５），絶縁体（１１），マグネット（１０），マグネット保護ケース（１２），絶縁座（１３），スクリーン端子（１４）と導電端子（１６）で構成されている。
図４のプラグ（２）はプラグ端子（２１），絶縁体（２３），マグネット（２０），ケース（２２）で構成され，マグネット（２０）はケース（２２）の先端側に固定されている。プラグ端子（２１）の先端部分はマグネット（２０）の中にあり，後部は絶縁体（２３）に固定されコンセントと接続する。
【０００８】  絶縁体（２３）の先端はマグネット（２０）の中に入り，後部のケース（２２）に固定されて，プラグ端子（２１）と導電接触点（１５）との接触により通電する。
なお，ジャック側マグネット（１０）とプラグ側マグネット（２０）の接触面の形状と面積は同一である。
【産業上の利用可能性】  本考案の接続端子は，充電・通信するための接続がマグネットを使用することで容易に接続可能であり，産業上利用価値が高い。
【符号の説明】
【０００９】１ジャック
２プラグ
３スマートフォン
４マグネット
５絶縁体
６マグネット保護ケース
７絶縁座
８スクリーン端子
９導電接触点
１０導電端子
１１マグネット
１２プラグ端子
１３ケース
１４絶縁体
【図１】
0003204127.tif 000003
【図２】
0003204127.tif 000004
【図３】
0003204127.tif 000005
【図４】
0003204127.tif 000006
【図５】
0003204127.tif 000007
【手続補正書】
【提出日】平成28年2月17日(2016.2.17)
【手続補正１】
【補正対象書類名】実用新案登録請求の範囲
【補正対象項目名】全文
【補正方法】変更
【補正の内容】
【実用新案登録請求の範囲】
【請求項１】
充電・通信するための外部接続端子を有するパソコン，スマートフォン，携帯電話，ゲーム機および家電等の接続を安易にできるようにジャックとプラグを分割し，それぞれにマグネットを使用することを特徴とする接続端子。
【請求項２】
ジャックとプラグ双方の内部にマグネットを配置し，互いの接続面にＮ極とＳ極を一つ以上かつ，同数有しており，ジャックとプラグのＳ極とＮ極が互いに磁石の引力の原理により自動的に位置を調整して正確に接続し通電する請求項１に記載の接続端子
【請求項３】
ジャック内部にあるマグネットの接触面Ｎ極と，プラグ内部にあるマグネットの接触面Ｓ極の互いに引き合う接触面の形状および面積は同一であり，そのため，自動的にジャックとプラグの位置が調整され正確に接続できる請求項１に記載の接続端子。
【請求項４】
ジャックは導電接触点，絶縁体とマグネット，保護ケース，ジャックの後方には絶縁座があり，スクリーン端子と導電端子で構成され，導電接触点は絶縁体の中，マグネットは絶縁体前部にあり，それは導電接触点を囲っていて，マグネットの保護ケースは外側を固定しており，導電端子は導電接触点と連結して，絶縁座上に固定され，スクリーン端子は導電端子を保護している請求項３に記載の接続端子。
【請求項５】
プラグはプラグ端子，絶縁体，ケース，マグネットで構成され，マグネットはケースの前端に固定され，プラグ端子の前部はマグネットの通り口に設定しており，後部は絶縁体に固定しコンセントと繋がれ，絶縁体前部はマグネット先端部に入り，後部はケースに固定される請求項４に記載の接続端子。
【請求項６】
ジャックの導電接触点とプラグのプラグ端子が接触することで通電する請求項５に記載の接続端子。
【請求項７】
プラグ端子に弾性端子を使用した構造の請求項６に記載の接続端子。